(57)【要約】【課題】リターナブル壜を個別に管理してその個別使用状態を関連付けて再使用管理を行うことによって再使用可能な壜の分別を科学的に正確に容易かつ効率よく行い、併せて外観から把握できない経年劣化等の検査も効率よく実施できる新規なリターナブル壜の再使用管理方法を提供する。リターナブル壜の再利用に係るコストを低減して、エネルギーの節約等の環境上の優位性に優れた再使用管理方法を提供する。【解決手段】リターナブル壜体の新規製造時に壜体表面に当該壜体の個体識別データである識別コードを刻設した個体識別表示部を形成し、個体識別表示部を読み取って記憶媒体に当該壜体の個体識別データとともに個別使用状態データを関連付けて書き込み蓄積し、記憶媒体に蓄積された個別使用状態データに基づき当該壜体の継続再使用の可否を判定する。【選択図】図２
2018205898.tif 000002
【特許請求の範囲】
【請求項１】
リターナブル壜体の新規製造時に壜体表面に当該壜体の個体識別データである識別コードを刻設した個体識別表示部を形成し、
前記個体識別表示部を読み取って記憶媒体に当該壜体の前記個体識別データとともに個別使用状態データを関連付けて書き込み蓄積し、
前記記憶媒体に蓄積された前記個別使用状態データに基づき当該壜体の継続再使用の可否を管理することを特徴とするリターナブル壜の再使用管理方法。
【請求項２】
前記個別使用状態データが使用回数データであり、当該壜体の使用回数データが所定の回数を充足することによって継続再使用の可否を管理する請求項１に記載のリターナブル壜の再使用管理方法。
【請求項３】
前記個体識別表示部が壜体を製造するホットエンド時においてレーザー加工により壜体表面に形成されている請求項１に記載のリターナブル壜の再使用管理方法。
【請求項４】
前記個体識別表示部が２次元コードによって表示されている請求項１又は３のいずれかに記載のリターナブル壜の再使用管理方法。
【発明の詳細な説明】
【技術分野】
【０００１】
本発明はリターナブル壜（回収再使用壜）の再使用管理方法に関する。
【背景技術】
【０００２】
包装用壜の分野では、例えば一升壜やビール壜、牛乳壜に代表されるように、使用後の空壜を回収して洗浄し再び中身を充填して繰り返し使用するリターナブル壜が知られている。このリターナブル壜は、１回限りで廃棄処理されるワンウェイ壜に比して、廃棄物の排出量抑制、原料や製造に係る資源エネルギーの節減、さらにはＣＯ2排出量等の環境負荷の低減の観点から、地球に優しい容器として注目されている。近年では、壜本体の強度を上げてひびや傷が入りにくくしたり、あるいは壜体の表面を樹脂コーティングすることによって壜体を保護しその再使用の効率を向上することが提案されている（特許文献１参照。）。
【０００３】
リターナブル壜の上述した優位性は再使用回数、つまり壜が何回転するかが重要な問題となる。一般には３回転しないリターナブル壜は１回限りの軽量ワンウェイ壜よりも環境負荷量が劣るとされる（ビール小びんについて、平成２０年環境省：ガラスびんリサイクル促進協議会「日本におけるリターナブルびんの現状」資料）。また、リターナブル壜は、通常約８年間、２０回以上再使用されるとされており（日本ガラスびん協会ＨＰ「リターナブルびん）、２０回再使用されたリターナブル壜は、ワンウェイ壜に比して、地球温暖化ＣＯ2、大気汚染、エネルギー消費量及び固形廃棄物の各項目において、環境負荷量大（ランク５）から環境負荷量小（ランク１〜２）に改善されているとされる（「インベントリ分析容器間相対比較」ガラスびんリサイクル促進協議会「リターナブルびんナビ」資料）。
【０００４】
このように、リターナブル壜にあっては、その再使用回数は上記した環境負荷上はもちろん、壜の製造メーカー及び中身メーカーにとっても極めて重要な要素であるが、しかしながら、一方において、その使用回数を完全に把握できてはいないのが現状である。多くの場合、壜体の再使用の可否は目視等の外観状態に頼る傾向が強く、実際の再使用回数（回転数）や使用年数を知ることは容易ではなかった。また、従来の壜体の点検検査では、外観から把握できない経年劣化等の検査基準が不明確となる嫌いがあった。
【０００５】
そこで、本発明はリターナブル壜を個別に管理してその個別使用状態を関連付けて再使用管理を行うことを見出したのであって、これによって、科学的に正確な再使用管理が可能となり、外観から把握できない経年劣化等の検査も効率よく実施できるようになる。
【先行技術文献】
【特許文献】
【０００６】
【特許文献１】特許第５５５２１４７号公報
【発明の概要】
【発明が解決しようとする課題】
【０００７】
本発明は、このような知見に基づき、リターナブル壜を個別に管理してその個別使用状態を関連付けて再使用管理を行うことによって再使用可能な壜の分別を科学的に正確に容易かつ効率よく行い、併せて外観から把握できない経年劣化等の検査も効率よく実施できる新規なリターナブル壜の再使用管理方法を提供するものである。また、本発明は、リターナブル壜の再利用を効率よく促進することによって再利用に係るコストを低減して、エネルギーの節約等の環境上の優位性に優れたリターナブル壜の再使用管理方法を提供するものである。
【課題を解決するための手段】
【０００８】
すなわち、請求項１の発明は、リターナブル壜体の新規製造時に壜体表面に当該壜体の個体識別データである識別コードを刻設した個体識別表示部を形成し、前記個体識別表示部を読み取って記憶媒体に当該壜体の前記個体識別データとともに個別使用状態データを関連付けて書き込み蓄積し、前記記憶媒体に蓄積された前記個別使用状態データに基づき当該壜体の継続再使用の可否を判定することを特徴とするリターナブル壜の再使用管理方法に係る。
【０００９】
請求項２の発明は、前記個別使用状態データが使用回数データであり、当該壜体の使用回数データが所定の回数を充足することによって継続再使用の可否を判定する請求項１に記載のリターナブル壜の再使用管理方法に係る。
【００１０】
請求項３の発明は、前記個体識別表示部が壜体を製造するホットエンド時においてレーザー加工により壜体表面に形成されている請求項１に記載のリターナブル壜の再使用管理方法に係る。
【００１１】
請求項４の発明は、前記個体識別表示部が２次元コードによって表示されている請求項１又は３のいずれかに記載のリターナブル壜の再使用管理方法に係る。
【発明の効果】
【００１２】
請求項１の発明に係るリターナブル壜の再使用管理方法によると、リターナブル壜体の新規製造時に壜体表面に当該壜体の個体識別データである識別コードを刻設した個体識別表示部を形成し、前記個体識別表示部を読み取って記憶媒体に当該壜体の前記個体識別データとともに個別使用状態データを関連付けて書き込み蓄積し、前記記憶媒体に蓄積された前記個別使用状態データに基づき当該壜体の継続再使用の可否を判定するため、回収された壜が製造されてから何年経過しているか、何回使用されたか等を個別に管理することによって、再使用可能な壜の分別を科学的に正確に容易かつ効率よく行うことができ、併せて外観から把握できない経年劣化等の検査も効率よく実施できる。さらに、リターナブル壜の再利用を効率よく促進することによって再利用に係るコストを低減して、エネルギーの節約等の環境上の優位性に優れる。
【００１３】
請求項２の発明に係るリターナブル壜の再使用管理方法によると、請求項１の発明において、前記個別使用状態データが使用回数データであり、当該壜体の使用回数データが所定の回数を充足することによって継続再使用の可否を判定するため、再使用可能な壜の分別を科学的に正確に容易かつ効率よく行うことができる。
【００１４】
請求項３の発明に係るリターナブル壜の再使用管理方法によると、請求項１の発明において、前記個体識別表示部が壜体を製造するホットエンド時においてレーザー加工により壜体表面に形成されているため、壜体表面の個体識別表示部に細かなひび等が生じにくくなる。
【００１５】
請求項４の発明に係るリターナブル壜の再使用管理方法によると、請求項１又は３のいずれかの発明において、前記個体識別表示部が２次元コードによって表示されているため、壜体表面の個体識別表示部を小さくすることができ、意匠性にも優れる。
【図面の簡単な説明】
【００１６】
【図１】個体識別表示部が形成された壜体の正面図である。
【図２】本発明の概要を示すフローチャートである。
【発明を実施するための形態】
【００１７】
壜のリサイクルは、販売店や市町村から回収された壜は、壜商や洗壜工場等で洗浄され、壜詰め工場で壜に中身が充填されて販売店に出荷される循環システムで行われる。また、近年では洗浄から充填までの全工程を壜詰め工場（メーカー）で一括して行われることも多くなっている。本発明の管理方法は、洗浄工程から充填工程の間に行われる工程のうち、再使用可能な壜の選別を容易にする管理方法である。
【００１８】
本発明のリターナブル壜の再使用管理方法は、使用後に回収して洗浄され、内容物を再度充填されて再使用されるリターナブル壜を管理する方法である。図１に示されるように、リターナブル壜の壜体１０の表面１１には個体識別表示部２０が形成されている。個体表示部２０は、擦れ等によって識別しにくくなるのを防止するため、肩部等の傷が生じにくい位置に形成されるのが良い。この個体識別表示部２０は、請求項３に記載されるように、壜体を製造するホットエンド時において、レーザー加工により形成される。ホットエンド時に加工されることにより、当該表示部に細かなひび等のトラブルが生じるのを防ぐことができ、壜体１０の強度が損なわれない。また、壜体の温度が高くなっていることから、レーザー加工により形成されるのが精度も良く望ましい。
【００１９】
そして個体識別表示部２０は、壜体それぞれに個体を識別することができる個体識別コードが刻設されて形成される。個体識別コードは、例えば、製造日時（ｙｙ年ＭＭ月ｄｄ日ｈｈ時ｍｍ分ｓｓ秒）や製造ライン等をコード化したものが考えられ、壜の個体を特定できるデータであれば良い。そして該個体識別表示部は、請求項４に記載されるように、２次元コードによって表示されるのが良い。２次元コードは１次元コード（バーコード）と比較して、より多くの情報をコード化することができるため、印字面積を小さくすることができることから、壜体の外観を損なうことなく意匠性に優れる。
【００２０】
記憶媒体には、個体識別データと関連付けられて個別使用状態データが記録されており、当該個別使用状態データに基づいて壜体の継続使用の可否が判定される。壜体に割り当てられた識別データと使用状態データが紐づけられており、壜体の個体識別表示部を読み取った時に、使用状態データを呼出すことによって再使用可能な壜かどうかを判断して分別を行う。また、請求項２に記載されるように、個別使用状態データは使用回数データであり、当該壜体の使用回数データが所定の回数を充足することによって継続再使用の可否が判定される。
【００２１】
続いて、図２のフローチャートとともに本発明の管理方法の概要を実施例とともに説明する。まず、回収された壜は、洗浄工程によって壜体の洗浄が行われる。洗浄によって個体識別表示部を認識しやすくするためである。次に、識別工程において、壜体の個体識別表示部の個体識別データの読み取りを行う。この読み取り手段は赤外線や光学認識、画像認識等公知の手法により行なうことができる。
【００２２】
複数種類の壜体を一度に取り扱う場合にあっては、個体識別データに形状や色、サイズ等を関連付けて記憶媒体に記録させておくことによって、画像認識や重量測定等の複雑な分別処理を行うことなく、種類ごとに壜を分別することもできる。
【００２３】
そして、認識した個体識別データを記憶媒体の個体識別データと照会し、当該壜体の個別使用状態データを呼び出す。可否判断工程では、呼び出した個別使用状態データである使用回数データ（ｋ）が所定の回数（Ｍ）以下である（ｋ≦Ｍ）場合は、次の検査工程へと進ませ、所定の回数よりも多い（ｋ＞Ｍ）場合は、当該壜体は廃棄される。検査工程では、壜体の傷やひび割れ等のチェックが行われる。検査工程は、目視や画像認識、光学認識等によって壜体の傷やひび、割れ等の有無によりが最終的に検査される。
【００２４】
可否判断工程によって当該壜体の個別使用状態データに基づき科学的に継続再使用の可否が判断され一定数の壜体が廃棄されることにより、最終の検査工程で処理される壜体の数が減ることにより、壜のリサイクル工程の効率化を図ることができ、コストの削減を図ることができる。また、使用回数などの科学的なデータによって再使用の可否が判断されるため、再使用の可否の基準が明確になり、品質が安定する。
【００２５】
再使用可能と判断された壜体は、充填工程において内容物を充填されて出荷される。最終の検査工程で再使用可能と判断された壜体の個別使用状態データである使用回数データは、この検査工程以降、出荷までの任意のタイミングで「＋１」されて書き込まれて蓄積される。これにより、再使用後、回収された当該壜体の使用回数データは「ｋ＋１」となり、再度（繰り返し）フローチャートに沿って管理、選別されることとなる。
【００２６】
ちなみに、この段階で上記使用回数データのほかの個別使用状態データ、例えば再使用に係る日時、場所、内容その他の追加データを書き込み蓄積することができ、これらの追加データは前記使用回数データと併せてまたは単独でリターナブル壜の再使用管理に有効かつ有用に使用される。
【産業上の利用可能性】
【００２７】
このように、本発明のリターナブル壜の再使用管理方法によれば、壜体それぞれに個体識別データを割り当てて管理することにより、明確な基準をもって科学的に再使用の可否を判定することが可能となる。壜体のリサイクル工程の効率化を図ることができるため、壜の再使用にかかるコストを削減して壜の再利用を促し、壜製造に伴うエネルギーを節約することができ、かつＣＯ2の発生及びごみの発生を抑制することが可能となる。また、蓄積した使用状態データによって壜体が製造からの経過時間や使用回数による劣化の情報を集積することができるため、リターナブル壜のさらなる開発、利用を促進し、環境負荷の低減を図ることができる。
【符号の説明】
【００２８】
１０  壜体
１１  壜体の表面
２０  個体識別表示部
【図１】
2018205898.tif 000003
【図２】
2018205898.tif 000004
【手続補正書】
【提出日】平成30年7月30日(2018.7.30)
【手続補正１】
【補正対象書類名】特許請求の範囲
【補正対象項目名】全文
【補正方法】変更
【補正の内容】
【特許請求の範囲】
【請求項１】
リターナブルガラス壜体の新規製造時のホットエンド時においてレーザー加工により壜体表面に当該壜体の個体識別データである識別コードを２次元コードによって刻設した個体識別表示部を形成するとともに、
前記壜体の個体識別データと関連付けられて壜体の使用回数データ（ｋ）が記録される記憶媒体を有し、
使用後回収された壜体は、前記個体識別表示部の個体識別データの読み取りが行われ、前記記憶媒体に記録された当該壜体の個別使用状態データを呼び出し照会し、個別使用状態データである使用回数データ（ｋ）が、所定の回数（Ｍ）よりも多い（ｋ＞Ｍ）場合は当該壜体は廃棄され、所定の回数（Ｍ）以下である（ｋ≦Ｍ）場合は再使用可能と判断し、かつ再使用可能と判断された壜体の個別使用状態データである使用回数データは「＋１」とされて新たな使用回数データ（ｋ）として前記記憶媒体に書き込まれ蓄積され管理される
ことを特徴とするリターナブルガラス壜の再使用管理方法。
【請求項２】
前記個体識別表示部に形成される個体識別コードが、当該壜体の製造日時（ｙｙ年ＭＭ月ｄｄ日ｈｈ時ｍｍ分ｓｓ秒）を含むものである請求項１に記載のリターナブルガラス壜の再使用管理方法。
【手続補正２】
【補正対象書類名】明細書
【補正対象項目名】全文
【補正方法】変更
【補正の内容】
【発明の詳細な説明】
【技術分野】
【０００１】
本発明はリターナブルガラス壜（回収再使用ガラス壜）の再使用管理方法に関する。
【背景技術】
【０００２】
包装用ガラス壜の分野では、例えば一升壜やビール壜、牛乳壜に代表されるように、使用後の空壜を回収して洗浄し再び中身を充填して繰り返し使用するリターナブルガラス壜が知られている。このリターナブルガラス壜は、１回限りで廃棄処理されるワンウェイガラス壜に比して、廃棄物の排出量抑制、原料や製造に係る資源エネルギーの節減、さらにはＣＯ2排出量等の環境負荷の低減の観点から、地球に優しい容器として注目されている。近年では、ガラス壜本体の強度を上げてひびや傷が入りにくくしたり、あるいはガラス壜体の表面を樹脂コーティングすることによってガラス壜体を保護しその再使用の効率を向上することが提案されている（特許文献１参照。）。
【０００３】
リターナブルガラス壜の上述した優位性は再使用回数、つまり壜が何回転するかが重要な問題となる。一般には３回転しないリターナブルガラス壜は１回限りの軽量ワンウェイガラス壜よりも環境負荷量が劣るとされる（ビール小びんについて、平成２０年環境省：ガラスびんリサイクル促進協議会「日本におけるリターナブルびんの現状」資料）。また、リターナブルガラス壜は、通常約８年間、２０回以上再使用されるとされており（日本ガラスびん協会ＨＰ「リターナブルびん」）、２０回再使用されたリターナブルガラス壜は、ワンウェイガラス壜に比して、地球温暖化ＣＯ2、大気汚染、エネルギー消費量及び固形廃棄物の各項目において、環境負荷量大（ランク５）から環境負荷量小（ランク１〜２）に改善されているとされる（「インベントリ分析容器間相対比較」ガラスびんリサイクル促進協議会「リターナブルびんナビ」資料）。
【０００４】
このように、リターナブルガラス壜にあっては、その再使用回数は上記した環境負荷上はもちろん、ガラス壜の製造メーカー及び中身メーカーにとっても極めて重要な要素であるが、しかしながら、一方において、その使用回数を完全に把握できてはいないのが現状である。多くの場合、ガラス壜体の再使用の可否は目視等の外観状態に頼る傾向が強く、実際の再使用回数（回転数）や使用年数を知ることは容易ではなかった。また、従来のガラス壜体の点検検査では、外観から把握できない経年劣化等の検査基準が不明確となる嫌いがあった。
【０００５】
そこで、本発明者らは鋭意努力の結果、リターナブルガラス壜体の新規製造時において壜体を個別に管理するための個体識別表示部を形成する具体的かつ有効な手段を見出したのであって、これによって、リターナブルガラス壜を個別に管理してその個別使用状態を関連付けて再使用管理を行うことを提案するものである。
【先行技術文献】
【特許文献】
【０００６】
【特許文献１】特許第５５５２１４７号公報
【発明の概要】
【発明が解決しようとする課題】
【０００７】
本発明は、このような知見に基づき、リターナブルガラス壜体の新規製造時において壜体を個別に管理するための個体識別表示部を形成してその個別使用状態を関連付けて再使用管理を行うことによって再使用可能な壜の分別を科学的に正確に容易かつ効率よく行い、併せて外観から把握できない経年劣化等の検査も効率よく実施できる新規なリターナブルガラス壜の再使用管理方法を提供するものである。また、本発明は、リターナブルガラス壜の再利用を効率よく促進することによって再利用に係るコストを低減して、エネルギーの節約等の環境上の優位性に優れたリターナブルガラス壜の再使用管理方法を提供するものである。
【課題を解決するための手段】
【０００８】
すなわち、請求項１の発明は、リターナブルガラス壜体の新規製造時のホットエンド時においてレーザー加工により壜体表面に当該壜体の個体識別データである識別コードを２次元コードによって刻設した個体識別表示部を形成するとともに、前記壜体の個体識別データと関連付けられて壜体の使用回数データ（ｋ）が記録される記憶媒体を有し、使用後回収された壜体は、前記個体識別表示部の個体識別データの読み取りが行われ、前記記憶媒体に記録された当該壜体の個別使用状態データを呼び出し照会し、個別使用状態データである使用回数データ（ｋ）が、所定の回数（Ｍ）よりも多い（ｋ＞Ｍ）場合は当該壜体は廃棄され、所定の回数（Ｍ）以下である（ｋ≦Ｍ）場合は再使用可能と判断し、かつ再使用可能と判断された壜体の個別使用状態データである使用回数データは「＋１」とされて新たな使用回数データ（ｋ）として前記記憶媒体に書き込まれ蓄積され管理されることを特徴とするリターナブルガラス壜の再使用管理方法に係る。
【０００９】
また、請求項２の発明は、前記個体識別表示部に形成される個体識別コードが、当該壜体の製造日時（ｙｙ年ＭＭ月ｄｄ日ｈｈ時ｍｍ分ｓｓ秒）を含むものである請求項１に記載のリターナブルガラス壜の再使用管理方法に係る。
【発明の効果】
【００１０】
請求項１の発明に係るリターナブルガラス壜の再使用管理方法によると、リターナブルガラス壜体の新規製造時のホットエンド時においてレーザー加工により壜体表面に当該壜体の個体識別データである識別コードを２次元コードによって刻設した個体識別表示部を形成するとともに、前記壜体の個体識別データと関連付けられて壜体の使用回数データ（ｋ）が記録される記憶媒体を有し、使用後回収された壜体は、前記個体識別表示部の個体識別データの読み取りが行われ、前記記憶媒体に記録された当該壜体の個別使用状態データを呼び出し照会し、個別使用状態データである使用回数データ（ｋ）が、所定の回数（Ｍ）よりも多い（ｋ＞Ｍ）場合は当該壜体は廃棄され、所定の回数（Ｍ）以下である（ｋ≦Ｍ）場合は再使用可能と判断し、かつ再使用可能と判断された壜体の個別使用状態データである使用回数データは「＋１」とされて新たな使用回数データ（ｋ）として前記記憶媒体に書き込まれ蓄積され管理されることを特徴とするものであるから、回収されたガラス壜体が何回使用されたか等を個別に管理することによって、再使用可能なガラス壜の分別を科学的に正確に容易かつ効率よく行うことができ、併せて外観から把握できない経年劣化等の検査も効率よく実施できる。さらに、リターナブルガラス壜の再利用を効率よく促進することによって再利用に係るコストを低減して、エネルギーの節約等の環境上の優位性に優れる。
この発明によれば、上のように、再使用可能なガラス壜の分別を科学的に正確に容易かつ効率よく行うことができるのみならず、前記個体識別表示部がガラス壜体を製造するホットエンド時においてレーザー加工により壜体表面に形成されているため、ガラス壜体表面の個体識別表示部に細かなひび等が生じにくくなり、また、前記個体識別表示部が２次元コードによって表示されているため、ガラス壜体表面の個体識別表示部を小さくすることができ、意匠性にも優れるなどの、リターナブルガラス壜としての大きな有利性を備える。
【００１１】
また、請求項２の発明によれば、請求項１の発明において、前記個体識別表示部に形成される個体識別コードが、当該壜体の製造日時（ｙｙ年ＭＭ月ｄｄ日ｈｈ時ｍｍ分ｓｓ秒）を含むものであるから、壜体を個別化する個体識別データが簡単かつ容易にしかも確実に得ることができる。とともに、当該ガラス壜体の製造日時を明らかにすることによって、当該壜体の正確な年齢を知ることができ、リターナブル壜の使用回数と併せて、ガラス壜体の製造後の経過日時を個別使用状態データとして考慮参酌することにより再利用の判断精度を大きく向上させることができる。
【図面の簡単な説明】
【００１２】
【図１】個体識別表示部が形成されたガラス壜体の正面図である。
【図２】本発明の概要を示すフローチャートである。
【発明を実施するための形態】
【００１３】
ガラス壜のリサイクルは、販売店や市町村から回収された壜は、壜商や洗壜工場等で洗浄され、壜詰め工場で壜に中身が充填されて販売店に出荷される循環システムで行われる。また、近年では洗浄から充填までの全工程を壜詰め工場（メーカー）で一括して行われることも多くなっている。本発明の管理方法は、洗浄工程から充填工程の間に行われる工程のうち、再使用可能な壜の選別を容易にする管理方法である。
【００１４】
本発明のリターナブルガラス壜の再使用管理方法は、使用後に回収して洗浄され、内容物を再度充填されて再使用されるリターナブルガラス壜を管理する方法である。図１に示されるように、リターナブルガラス壜のガラス壜体１０の表面１１には個体識別表示部２０が形成されている。個体表示部２０は、擦れ等によって識別しにくくなるのを防止するため、肩部等の傷が生じにくい位置に形成されるのが良い。この個体識別表示部２０は、ガラス壜体を製造するホットエンド時において、レーザー加工により形成される。ホットエンド時に加工されることにより、当該表示部に細かなひび等のトラブルが生じるのを防ぐことができ、ガラス壜体１０の強度が損なわれない。また、ガラス壜体の温度が高くなっていることから、レーザー加工により形成されるのが精度も良く望ましい。
【００１５】
そして個体識別表示部２０は、ガラス壜体それぞれに個体を識別することができる個体識別コードが刻設されて形成される。個体識別コードは、例えば、製造日時（ｙｙ年ＭＭ月ｄｄ日ｈｈ時ｍｍ分ｓｓ秒）や製造ライン等をコード化したものが考えられ、ガラス壜の個体を特定できるデータであれば良い。そして該個体識別表示部は、２次元コードによって表示される。２次元コードは１次元コード（バーコード）と比較して、より多くの情報をコード化することができるため、印字面積を小さくすることができることから、ガラス壜体の外観を損なうことなく意匠性に優れる。
【００１６】
記憶媒体には、個体識別データと関連付けられて個別使用状態データが記録されており、当該個別使用状態データに基づいて壜体の継続使用の可否が判定される。壜体に割り当てられた識別データと使用状態データが紐づけられており、ガラス壜体の個体識別表示部を読み取った時に、使用状態データを呼出すことによって再使用可能な壜かどうかを判断して分別を行う。個別使用状態データは使用回数データであり、当該ガラス壜体の使用回数データが所定の回数を充足することによって継続再使用の可否が判定される。
【００１７】
続いて、図２のフローチャートとともに本発明の管理方法の概要を実施例とともに説明する。まず、回収されたガラス壜は、洗浄工程によって壜体の洗浄が行われる。洗浄によって個体識別表示部を認識しやすくするためである。次に、識別工程において、壜体の個体識別表示部の個体識別データの読み取りを行う。この読み取り手段は赤外線や光学認識、画像認識等公知の手法により行なうことができる。
【００１８】
複数種類の壜体を一度に取り扱う場合にあっては、個体識別データに形状や色、サイズ等を関連付けて記憶媒体に記録させておくことによって、画像認識や重量測定等の複雑な分別処理を行うことなく、種類ごとに壜を分別することもできる。
【００１９】
そして、認識した個体識別データを記憶媒体の個体識別データと照会し、当該ガラス壜体の個別使用状態データを呼び出す。可否判断工程では、呼び出した個別使用状態データである使用回数データ（ｋ）が所定の回数（Ｍ）以下である（ｋ≦Ｍ）場合は、次の検査工程へと進ませ、所定の回数よりも多い（ｋ＞Ｍ）場合は、当該ガラス壜体は廃棄される。検査工程では、ガラス壜体の傷やひび割れ等のチェックが行われる。検査工程は、目視や画像認識、光学認識等によってガラス壜体の傷やひび、割れ等の有無によりが最終的に検査される。
【００２０】
可否判断工程によって当該壜体の個別使用状態データに基づき科学的に継続再使用の可否が判断され一定数のガラス壜体が廃棄されることにより、最終の検査工程で処理される壜体の数が減ることにより、壜のリサイクル工程の効率化を図ることができ、コストの削減を図ることができる。また、使用回数などの科学的なデータによって再使用の可否が判断されるため、再使用の可否の基準が明確になり、品質が安定する。
【００２１】
再使用可能と判断された壜体は、充填工程において内容物を充填されて出荷される。最終の検査工程で再使用可能と判断された壜体の個別使用状態データである使用回数データは、この検査工程以降、出荷までの任意のタイミングで「＋１」されて書き込まれて蓄積される。これにより、再使用後、回収された当該壜体の使用回数データは「ｋ＋１」となり、再度（繰り返し）フローチャートに沿って管理、選別されることとなる。
【００２２】
ちなみに、この段階で上記使用回数データのほかの個別使用状態データ、例えば再使用に係る日時、場所、内容その他の追加データを書き込み蓄積することができ、これらの追加データは前記使用回数データと併せてまたは単独でリターナブルガラス壜の再使用管理に有効かつ有用に使用される。
【産業上の利用可能性】
【００２３】
このように、本発明のリターナブルガラス壜の再使用管理方法によれば、ガラス壜体それぞれに個体識別データを割り当てて管理することにより、明確な基準をもって科学的に再使用の可否を判定することが可能となる。ガラス壜体のリサイクル工程の効率化を図ることができるため、ガラス壜の再使用にかかるコストを削減して壜の再利用を促し、ガラス壜製造に伴うエネルギーを節約することができ、かつＣＯ2の発生及びごみの発生を抑制することが可能となる。また、蓄積した使用状態データによってガラス壜体が製造からの経過時間や使用回数による劣化の情報を集積することができるため、リターナブルガラス壜のさらなる開発、利用を促進し、環境負荷の低減を図ることができる。
【符号の説明】
【００２４】
１０  ガラス壜体
１１  壜体の表面
２０  個体識別表示部